(57)【要約】  セルラー無線通信システムの複数のユーザ機器の間でサブ帯域割り当てを共有するように構成され、第１セルを提供する第１基地局と、第２セルを提供する第２基地局を含む複数の基地局を有するセルラー無線通信システムにおいて使用される無線リソース割り当て方法において、第１基地局は、第１セルによりサービスを提供される一つ以上のユーザ機器からセル内アップリンク制御情報を受信し、第２セルによりサービスを提供される一つ以上のユーザ機器から第２基地局へ送信されるアップリンク制御情報をオーバーヒアし、セル内アップリンク制御情報およびオーバーヒアされたアップリンク制御情報を考慮してサブ帯域割り当てを行い、第１基地局送信が干渉を起こしている、第２セルでの特定のユーザ機器サブ帯域割り当てに関する警報を第２基地局から受信し、オーバーヒアされたアップリンク制御情報とセル内アップリンク制御情報と警報を使用して、第１基地局セルにおけるサブ帯域割り当てを調整するプロセスを実行する。【選択図】図３
2017508377.tif 000002
【特許請求の範囲】
【請求項１】
セルラー無線通信システムの複数のユーザ機器の間でサブ帯域割り当てを共有するように構成され、第１セルを提供する第１基地局（Ｆ１）と、第２セルを提供する第２基地局（Ｆ２）を含む複数の基地局（Ｆ１、Ｆ２、Ｆ３）を有するセルラー無線通信システムにおいて使用される無線リソース割り当て方法であって、
前記第１基地局（Ｆ１）は、
前記第１セルによりサービスを提供される一つ以上のユーザ機器からセル内アップリンク制御情報を受信し、前記第２セルによりサービスを提供される一つ以上のユーザ機器から前記第２基地局へ送信されるアップリンク制御情報をオーバーヒアし、
前記セル内アップリンク制御情報およびオーバーヒアされたアップリンク制御情報を考慮して、サブ帯域割り当てを行い、
前記第１基地局（Ｆ１）の送信が干渉している、前記第２セルにおける特定のユーザ機器サブ帯域割り当てについての警報を、前記第２基地局から受信し、
前記オーバーヒアされたアップリンク制御情報と、前記セル内アップリンク制御情報と、前記警報とを使用して、前記第１基地局（Ｆ１）セルにおける前記サブ帯域割り当てを調整するプロセスを実行する無線リソース割り当て方法。
【請求項２】
前記第１基地局が、前記第１セルによりサービスを提供される各ユーザ機器に対するセッションごとの識別子、例えば、LTEシステムにおけるC-RNTIを前記第２基地局へ送信し、前記第２セルによりサービスを提供される各ユーザ機器に対する識別子を受信することを含む請求項１に記載の無線リソース割り当て方法。
【請求項３】
前記第１基地局と第２基地局は、二つ以上の協働する基地局のクラスタにおける二つの基地局であり、LTEシステムにおけるZadoff-Chu拡散コードのような、各セルにおける送信を識別する拡散コードのセットが前記基地局間で共有される請求項１または２に記載の無線リソース割り当て方法。
【請求項４】
前記第１基地局は、前記第１基地局の送信が干渉している前記特定のＵＥから、例えば、LTEシステムにおけるNACKメッセージである、失敗したダウンリンク受信に関するアップリンク制御メッセージもオーバーヒアし、前記サブ帯域割り当てを調整する準備を行う請求項１〜３の何れか一項に記載の無線リソース割り当て方法。
【請求項５】
前記警報は、前記セルラー無線通信システムのコアネットへのリンク上で、好ましくは、LTEシステムにおける拡張パケットコアへのS1リンク上で受信される請求項１〜４の何れか一項に記載の無線リソース割り当て方法。
【請求項６】
時間／周波数リソースブロックは、前記サブ帯域割り当て内において、前記ユーザ機器によるアップリンク送信、および／または、前記ユーザ機器へのダウンリンク送信に対してスケジューリングされる請求項１〜５の何れか一項に記載の無線リソース割り当て方法。
【請求項７】
前記サブ帯域割り当ては、前記セルラー無線通信システムのユーザ機器のユーザ機器優先権を考慮して、潜在的なサブ帯域割り当てコンフリクトを緩和する請求項１〜６の何れか一項に記載の無線リソース割り当て方法。
【請求項８】
前記オーバーヒアされたアップリンク制御情報および前記セル内アップリンク制御情報は、前記第１セルによりサービスを提供される、またはオーバーヒアされる各ユーザ機器からのサブ帯域要求の順序付けられたセットを含む請求項１〜７の何れか一項に記載の無線リソース割り当て方法。
【請求項９】
各サブ帯域要求は、好ましくは、前記順序付けられセットにおける各サブ帯域要求に対する潜在的データレートの表示の形式の、更に好ましくは、LTEシステムにおける変調符号化方式MCSとしてのサブ帯域ごとのユーザ機器優先権を含む請求項７または８に記載の無線リソース割り当て方法。
【請求項１０】
前記サブ帯域割り当ては、前記セルラー無線通信システム内におけるセルのセル優先権順序を考慮する請求項１〜９の何れか一項に記載の無線リソース割り当て方法。
【請求項１１】
前記セル優先権順序は、異なるセルにおけるユーザ機器からのアップリンク制御情報間にコンフリクトがあるときに、前記サブ帯域を割り当てる方法を判定し、好ましくは、前記セル優先権順序は回転優先権であり、より好ましくは、前記セル優先権順序は、LTEシステムにおける各CQI周期とともに変化する請求項１０に記載の無線リソース割り当て方法。
【請求項１２】
セルラー無線通信システムの複数のユーザ機器の間で、サブ帯域割り当てを共有するように構成され、第１セルを提供する第１基地局（Ｆ１）と、第２セルを提供する第２基地局（Ｆ２）を含む複数の基地局（Ｆ１、Ｆ２、Ｆ３）を有するセルラー無線通信システムにおいて使用される無線リソース割り当て方法であって、
前記第２基地局（Ｆ２）は、
前記第２セルによりサービスを提供される一つ以上のユーザ機器からセル内アップリンク制御情報を受信し、前記第１セルによりサービスを提供される一つ以上のユーザ機器から前記第１基地局へ送信されるアップリンク制御情報をオーバーヒアし、前記セル内およびオーバーヒアされたアップリンク制御情報に応じて、前記第２セルにおける前記ユーザ機器にサブ帯域割り当てを行い、
前記第２セルによりサービスを提供され、干渉しているサブ帯域割り当てを有する特定のユーザ機器からのアップリンク制御メッセージを受信し、当該アップリング制御メッセージは前記特定のユーザ機器へのダウンリンクの失敗した受信に関するものであり、
前記干渉しているユーザ機器サブ帯域割り当てについての警報を前記第１基地局（Ｆ１）に送信し、前記第１基地局が、前記第１基地局（Ｆ１）セルにおける前記サブ帯域割り当てを調整することを可能にするプロセスを実行する無線リソース割り当て方法。
【請求項１３】
セルラー無線通信システムの複数のユーザ機器の間で、サブ帯域割り当てを共有するように構成され、それぞれは自身のセルを提供するように構成されている複数の基地局（Ｆ１、Ｆ２、Ｆ３）を有するセルラー無線通信システムにおいて使用される無線リソース割り当て方法であって、
前記セルラー無線通信システムは、
前記基地局が、自身のセルによりサービスを提供される一つ以上のユーザ機器からセル内アップリンク制御情報を受信し、前記一つ以上の他の基地局の前記セルによりサービスを提供される一つ以上のユーザ機器から送信されるアップリンク制御情報をオーバーヒアし、
前記基地局が、前記セル内およびオーバーヒアされたアップリンク制御情報を考慮して、自身のセルにおける前記一つ以上のユーザ機器にサブ帯域割り当てを行い、
一つの基地局が、他の基地局の送信が干渉している特定のユーザ機器サブ帯域割り当てについての警報を送信し、
他の基地局が、自身の前記セル内アップリンク制御情報と、前記オーバーヒアされたアップリンク制御情報と、前記警報とを使用して、自身のセルにおけるサブ帯域割り当てを調整するプロセスを実行する無線リソース割り当て方法。
【請求項１４】
セルラー無線通信システムの複数のユーザ機器の間で、サブ帯域割り当てを共有するように構成され、第１基地局（Ｆ１）は第１セルを提供し、第２基地局（Ｆ２）は第２セルを提供する複数の基地局（Ｆ１、Ｆ２、Ｆ３）を有するセルラー無線通信システムにおける第１基地局であって、前記第１基地局（Ｆ１）は、
前記第１セルによりサービスを提供される一つ以上のユーザ機器からセル内アップリンク制御情報を受信し、前記第２セルによりサービスを提供される一つ以上のユーザ機器から前記第２基地局に送信されるアップリンク制御情報をオーバーヒアするように構成されている受信器と、
前記セル内アップリンク制御情報およびオーバーヒアされたアップリンク制御情報を考慮して、サブ帯域割り当てを行うように構成されているコントローラと、
前記第１基地局（Ｆ１）の送信が干渉している、前記第２セルにおける特定のユーザ機器サブ帯域割り当てに関する警報を、前記第２基地局から受信するように構成されているインタフェースと、を有し、
前記コントローラは、前記オーバーヒアされたアップリンク制御情報と、前記セル内アップリンク制御情報と、前記警報とを使用して、前記第１基地局（Ｆ１）セルにおける前記サブ帯域割り当てを調整するように構成されている第１基地局。
【請求項１５】
セルラー無線通信システムの複数のユーザ機器の間で、サブ帯域割り当てを共有するように構成され、第１基地局（Ｆ１）は第１セルを提供し、第２基地局（Ｆ２）は第２セルを提供する複数の基地局（Ｆ１、Ｆ２、Ｆ３）を有するセルラー無線通信システムにおける第２基地局であって、前記第２基地局（Ｆ２）は、
前記第２セルによりサービスを提供される一つ以上のユーザ機器からセル内アップリンク制御情報を受信し、前記第１セルによりサービスを提供される一つ以上のユーザ機器から前記第１基地局に送信されるアップリンク制御情報をオーバーヒアするように構成されている受信器と、
前記セル内およびオーバーヒアされたアップリンク制御情報に応じて、前記第２セルにおける前記ユーザ機器にサブ帯域割り当てを行うように構成されているコントローラと、を有し、
前記受信器は、前記第２セルによりサービスを提供され、干渉しているサブ帯域割り当てを有する特定のユーザ機器からのアップリンク制御情報を受信し、当該アップリンク制御情報は、前記特定のユーザ機器へのダウンリンク送信の失敗した受信に関するものであるように構成され、
前記干渉しているユーザ機器サブ帯域割り当てに関する警報を前記第１基地局（Ｆ１）に送信し、前記第１基地局が前記第１セルにおける前記サブ帯域割り当てを調整すること可能にするように構成されているインタフェースをさらに有する第２基地局。
【請求項１６】
セルラー無線通信システムの複数のユーザ機器の間で、サブ帯域割り当てを共有するように構成され、それぞれがセルを提供するよう構成されている複数の基地局（Ｆ１、Ｆ２、Ｆ３）を有するセルラー無線通信システムであって、
前記基地局は、自身のセルによりサービスを提供される一つ以上のユーザ機器からセル内アップリンク制御情報を受信し、前記一つ以上の他の基地局の前記セルによりサービスを提供される一つ以上のユーザ機器から送信されるアップリンク制御情報をオーバーヒアするように構成されている受信器を含み、
前記基地局は、前記セル内およびオーバーヒアされたアップリンク制御情報を考慮して、自身のセルにおける前記一つ以上のユーザ機器にサブ帯域割り当てを行うように構成されているコントローラを含み、
前記基地局は、他の基地局の送信が干渉している、自身のセルにおける特定のユーザ機器サブ帯域割り当てに関する警報を送るように構成されているインタフェースを含み、
前記基地局コントローラは、前記セル内およびオーバーヒアされたアップリンク制御情報と前記警報とを使用して、自身のセルにおけるサブ帯域割り当てを調整するように構成されているセルラー無線通信システム。
【発明の詳細な説明】
【技術分野】
【０００１】
本発明は、セルラー無線通信システム、特には、LTE/LTE-Aまたは類似のシステムにおいて使用される無線リソース割り当て方法、および基地局に関する。
【０００２】
セルエッジ干渉は、何れの無線ネットワークにおいても重要な問題であり、セルエッジユーザの体感品質(Quality of Experience, QoE)に影響を与える。時間／周波数リソースが異なるユーザに対して分割されるLTEのようなネットワークにおいては、同じリソースが、隣接セルにおけるセルエッジユーザに割り当てられると相当な干渉が起こる。増大した干渉は、セルエッジデータレートおよび全体的なサービス品質(Quality of Service, QoS)を低下させる。従って、セルエッジユーザ性能を改良することは、小さなフェムト（Ｆｅｍｔｏ）セルから、全体的な「オーバーレイ」カバレッジを提供するためにしばしば使用されるマクロ（Ｍａｃｒｏ）セルまでの範囲の何れのタイプのセルの無線ネットワークについての重要なターゲットである。
【０００３】
特に、しかし排他的にではなく、本発明は、例えば、3GPP TS36シリーズ仕様、Release 9、10及び3GPP仕様シリーズの後続において記述されているような、LTE（ロングタームエボリューション）およびLTEアドバンスト(LTE-Advanced)無線技術標準に従う通信手順に関する。しかし本発明はまた、基地局が時間／周波数リソースを、加入者局（「ユーザ端末」、「ユーザ機器」またはＵＥ、「移動端末」などとも称される）に、ダウンリンクまたはアップリンク上で割り当てるUMTS、WiMAX、および他の通信システムにも適用可能である。
【背景技術】
【０００４】
基地局（ＢＳ）が「セル」を提供して、ＢＳの範囲内の加入者局と通信する無線通信システムは広く知られている。例えばLTEにおいては、基地局は一般的にeNodeBまたはｅＮＢと呼ばれ、加入者局はユーザ機器またはＵＥと呼ばれる。
【０００５】
本発明の実施形態が、LTEに関して後述されるので、LTEネットワークトポロジおよびリソース割り当ての幾つかの関連する態様の概要を簡潔に述べることは価値があるであろう。
【０００６】
LTE（ここにおいては一般的に、LTE-Aのことも指す）におけるネットワークトポロジが図１に例示されている。図１から分かるように、各ＵＥ１は、Ｕｕインタフェースを介する無線リンク上で発展型ノードＢまたはｅＮＢ１１に接続する。異なる送信電力を有する種々のタイプのｅＮＢが可能なので、異なるサイズのカバレッジエリア（セル）を提供可能であるということに留意すべきである。所与の地理的エリアに配置される複数のｅＮＢは、Ｅ−ＵＴＲＡＮと呼ばれる無線ネットワークを構成する（そして以降は、一般的に単に「ネットワーク」と称される）。
【０００７】
各ｅＮＢ１１はその結果、ネットワークにおいてシステムを管理し、他のノード、特にはｅＮＢへ制御信号通知を送るためのサービングゲートウェイ(Serving Gateway:S-GW)、および移動管理エンティティ(Mobility Management Entity:MME)を含む、より上位レベルまたは「コアネットワーク」エンティティ１０１へ、（通常は）Ｓ１と呼ばれるインタフェースを使用する有線リンクにより接続される。加えて、パケットデータネットワーク(Packet Data Network:PDN)ゲートウェイ(Gateway:GW)(P-GW)（図示されてない）が存在し、S-GWとは別個に、またはS-GWと組み合わされて、インターネットを含む任意のパケットデータネットワークとデータパケットを交換する。このため、LTEネットワークと、他のセルラー無線通信ネットワークを含む他のネットワークとの間で通信が可能である。
【０００８】
本発明は、「同種ネットワーク」に適用可能である。つまり、計画されたレイアウトにおける基地局のネットワークであって、類似の送信電力レベル、アンテナパターン、受信器ノイズフロア、およびコアネットワークへの類似の中継回線接続を有するネットワークに適用可能である。しかし、本発明はまた、二つ以上の異なる種類のセルから構成されるいわゆる「異種ネットワーク」にも適用可能である。
【０００９】
ユーザ機器は幾つかのセルの範囲に同時に存在することができる（つまり、幾つかのセルから同時に信号を検出可能である）が、最も簡単なケースでは、ユーザ機器は一つの「サービング」セルまたは「プライマリ」セルと通信する。無線通信システムおよび無線通信システム内のセルは、周波数分割複信(Frequency Division Duplex:FDD)または時間分割複信(Time Division Duplex:TDD)モードにおいて動作させることができる。
【００１０】
図２は、LTEシステムにおける（および、LTE-Aシステムにおける）リソース割り当てのための基本単位を示している。システムにおけるリソースは、時間次元と周波数次元の両者を有している。１０ミリ秒の各フレームは、それぞれが１ミリ秒の持続時間を有する１０個のサブフレームに分割される。システムにおいて利用可能な周波数帯域幅は、多数のサブキャリアに分割される。１２個のサブキャリアは１個のサブ帯域を構成する。
【００１１】
システムにおける時間は、シンボル時間の単位で分割され、２個の連続するスロットは「サブフレーム」を形成する。このため、送信信号は、サブキャリアのリソースグリッドと、OFDMまたはSC-FDMA送信に対して利用可能なシンボルにより記述される。リソースグリッドにおける各要素は、リソース要素（ＲＥ）と呼ばれ、各リソース要素は、１個の変調シンボルに対応する（OFDM送信を仮定して）。このため、図２における個々の正方形は、１個のスロット（７個のシンボル）による１個のサブキャリアを表している。設定された数のサブキャリアおよびOFDMシンボルから構成されているリソースの量（この例においては、１２個のサブキャリアおよび７個のシンボル）は、図２において陰影を付けられた部分で示されているLTEにおけるリソースブロック（ＲＢ）と称される。
【００１２】
ＵＥによる使用のために利用可能なＲＢは、ｅＮＢにおいてスケジューリング機能により割り当てられる。そのようなスケジューリングは通常は、各サブフレームに対して別個に判定される。言い換えると、ＵＥのリソース割り当ては、サブフレームごとに変わってよい。リソースはＵＥに、ダウンリンク（ＤＬ）およびアップリンク（ＵＬ）送信の両方に対して割り当てられる。eNodeBとの接続を確立したＵＥはeNodeBと同期され、それらの割り当てられたダウンリンクおよびアップリンクリソースが、セル内の他のＵＥのダウンリンクおよびアップリンクリソースと完全に「直交」（非干渉）可能となるように構成される。
【００１３】
LTEにおいては、データおよび制御信号通知のための幾つかのチャネルが、システム内の種々の抽象化レベルにおいて定義されている。ユーザデータと、幾つかの信号通知データも、物理アップリンク共有チャネル(Physical Uplink Shared Channel:PUSCH)上で搬送される。制御チャネルは、例えば、変調符号化方式(MCS)とスケジューリング要求の表示を含む、チャネル品質表示報告により表わされるようなチャネル状態情報(CSI)を含んでいる信号通知を、ＵＥから搬送するために使用される物理アップリンク制御チャネル(Physical Uplink Control Channel:PUCCH)を含んでいる。
【００１４】
本発明は、隣接セル間のセル間干渉に関する。干渉を制御するための最も効果的な方法の一つは、セル間のリソース割り当てについて連携することである。これに関しての一つのソリューションは、高速相互接続が要求される、これらのセル間の頻繁な通信による。LTEにおけるこのソリューションは、セル間干渉調整(Inter Cell Interference Co-ordination:ICIC)として知られており、LTE-Aにおいては、eICICとして知られている。しかしこれらの相互接続（LTEにおいてはＸ２と呼ばれる）は、特に、フェムトセルのような低コストソリューションにおいては、配置および維持するためには高価過ぎる可能性が高い。
【００１５】
セルエッジ干渉の緩和のためのオーバーヒアリング技術は本発明の発明者に知られており、関連技術出願EP14150210.4に説明されている。これらの技術においては、隣接ｅＮＢは、セルエッジユーザによるチャネル品質インディケータ(Channel Quality Indicator, CQI)要求をオーバーヒアし、これにより、セルが、隣接セルにおける要求された割り当てについての情報を取得し、自身の割り当てを適合することを可能にする。より詳細には、関連技術出願EP14150210.4におけるソリューションはオーバーヒアリングのみに依存し、基地局は、各サブ帯域が隣接セルにより使用される可能性を、セル階層およびセルエッジ性能レベルのような基準に基づいて判定する。基地局が隣接セルにおける衝突を、増大するNACKにより検出すると、基地局は、関連する割り当てを（一方的に）変更する。このため、そのような技術はｅＮＢの相互接続（またはセル間通信）を必要とせず、単に、隣接セルが、セルエッジにおける可能な割り当てに対して警戒することを可能にする。しかし、オーバーヒアリングは、セルエッジユーザによる好適割り当てについての情報のみを提供し、正確な割り当てはオーバーヒアできず、衝突および干渉の可能性に繋がる。
【００１６】
従って、Ｘ２リンクの速度を必ずしも必要とせずに干渉を削減し、単純なオーバーヒアリングより良好な、ICICに好ましくは類似している性能を達成する方法を提供することは望ましい。
【発明の概要】
【００１７】
本発明の一つの観点の実施形態によれば、セルラー無線通信システムの複数のユーザ機器の間で、サブ帯域割り当てを共有するように構成され、第１セルを提供する第１基地局と、第２セルを提供する第２基地局を含む複数の基地局を有するセルラー無線通信システムにおいて使用される無線リソース割り当て方法が提供され、この方法において、第１基地局は、
第１セルによりサービスを提供される一つ以上のユーザ機器からセル内アップリンク制御情報を受信し、第２セルによりサービスを提供される一つ以上のユーザ機器から第２基地局へ送信されるアップリンク制御情報をオーバーヒアし、
セル内アップリンク制御情報およびオーバーヒアされたアップリンク制御情報を考慮して、サブ帯域割り当てを行い、
第１基地局送信が干渉している、第２セルにおける特定のユーザ機器サブ帯域割り当てについての警報を第２基地局から受信し、
オーバーヒアされたアップリンク制御情報と、セル内アップリンク制御情報と、警報とを使用して、第１基地局セルにおけるサブ帯域割り当てを調整するプロセスを実行する。
【００１８】
このため、第１セル内のサブ帯域割り当ては、受信したセル内アップリンク制御情報と、第２セルにおけるユーザからのオーバーヒアされたアップリンク制御情報に基づいて行われ、干渉しているサブ帯域割り当てを示している、第２セルの第２基地局からの警告に追加的に基づいて調整される。本発明の発明者は、拡張されたセルエッジ性能を提供する効率的な２ステップのプロセスにおいて、既知のICIC技術の原理の幾つかを、関連技術のオーバーヒアリングと組み合わせることが可能であると認識するに至った。これは、ICICにより要求されるＸ２リンクの機能すべてを必ずしも使用しないで達成される。
【００１９】
本発明の実施形態の方法においては、基地局が、他のセルによりサービスを提供される個々のＵＥを識別可能であると有益である。好ましくは、方法は、第１基地局がセッション毎の識別子、例えば、第１セルによりサービスを提供される各ユーザ機器に対する、LTEシステムにおけるC-RNTIを第２基地局に送り、第２セルによりサービスを提供される各ユーザ機器に対する識別子を受信することを含んでいる。識別子は、送受信の前に、コアネットワークリンク上で送ることが可能である。C-RNTIは、データをセキュリティのため暗号としてスクランブルするために使用される。サービングセルのみがC-RNTIアイデンティティを知っており、本発明の実施形態は、これを隣接セルと共有して、ＵＥ情報が解読可能となることを提案する。
【００２０】
一実施形態においては、第１基地局および第２基地局は、二つ以上の協働する基地局のクラスタにおける二つの基地局であり、これらの基地局は、LTEシステムにおけるZadoff-Chu(ZC)拡散コードのような拡散コードのセットを共有する。ＺＣコードは、CDMAと同様に、データを拡散するために使用される。そのため、ＺＣコードで乗算されると、データの１ビットは、１２ビットストリーム（例えば）になる。１２ビットコードセットにおいては、１２の相互に直交しているコードがある。このため、１２個のＵＥが同時にこれらのコードを使用可能であり、ＢＳは依然としてこれらのコードを復号可能である。本発明の実施形態は、ＺＣコードセットをセルのグループの間で分割し、それにより、隣接セルは、どのセルからアップリンクサブ帯域要求が発しているかを知る。これら両者の特徴を有するLTEの状況においては、拡散とスクランブリングは、ＵＥから発生するデータセットにおいて起こり、これらのプロセスは、サブ帯域要求を理解するために反転される必要がある。
【００２１】
ＵＥが、自身のサービングセルでないセルの範囲内にあり、それにより、非サービングセルからのダウンリンク送信による干渉をＵＥが受けることがある、および／または、隣接する非サービングセルの基地局が、ＵＥのアップリンク送信をオーバーヒアすることが可能なときは、そのＵＥは、セルエッジＵＥとして見なすことが可能である。
【００２２】
本発明の実施形態によれば、第１基地局は、第２セルによりサービスを提供されるそのようなセルエッジＵＥから送信されるアップリンク制御情報をオーバーヒアする。第１基地局はまた、ＵＥからの他のアップリンク制御送信もオーバーヒアすることが可能である。アップリンク制御送信は、ＵＥからのダウンリンク受信の失敗に関するアップリンク制御メッセージであってよい。アップリンク制御情報とアップリンク制御メッセージの両者は、LTEにおけるPUCCHのような、同じアップリンク制御チャネル上で送信できる。好ましくは、第１基地局はまた、第１基地局送信が干渉している特定のＵＥからのダウンリンク受信の失敗に関するアップリック制御情報、例えば、LTEシステムにおけるNACKメッセージもオーバーヒアする。これにより、第１基地局が、第２基地局からの警報に追従して、サブ帯域の可能な再割り当てについて自身の準備を行うことが可能となる。例えば、第１基地局はそのサブ帯域割り当てを調べて、代替割り当てオプションを解析できる。
【００２３】
本発明の実施形態は、干渉している帯域の警報を送信し、及び、受信するために、何れかの直接または間接的セル間通信リンクを利用可能であり、システムにおいてすでに利用可能なリンクを利用する可能性がもっとも高い。例えば、LTEシステムにおいては、第２基地局からの警報は、セル間のリンク（Ｘ２リンクのような）上で、または、各基地局からコアネットワークへのリンク（Ｓ１リンクのような）を介して受信できる。より好ましくは、警報は、通信システムのコアネットワークへのリンク上、好ましくは、LTEシステムにおける発展型パケットコアへのＳ１リンク上で受信される。
【００２４】
サブ帯域割り当ては、本質的には、基地局へ向けてのアップリンク送信、および／または、基地局からのダウンリンク送信のためにＵＥが利用可能な送信周波数帯域幅に対する措置である。サブ帯域は、システムによる使用に利用可能な送信周波数帯域幅の全体の一部である。基地局は、サブ帯域割り当て内で、ＵＥによるアップリンク送信、および／または、ＵＥへのダウンリンク送信のための時間／周波数リソースを割り当てる。例えば、LTEおよび他のシステムにおいては、これらは、「リソースブロック」と呼ばれる。
【００２５】
一つ以上の優先権のシステムを、サブ帯域割り当てを支援するために使用できる。何れかの適切な優先権のシステムも使用することができるが、好ましくは、サブ帯域割り当ては、システムのユーザ機器のユーザ機器優先権、または、通信システム内のセルのセル優先権順序、またはその両者を採用する。
【００２６】
このため、サブ帯域割り当ては、システムのユーザ機器のユーザ機器優先権を考慮して、如何なる潜在的なサブ帯域割り当てコンフリクトをも緩和する。
【００２７】
好ましくは、オーバーヒアされたアップリンク制御情報、および／または、セル内アップリンク制御情報は、第１セルによりオーバーヒアされる、またはサービスを提供される各ユーザ機器からのサブ帯域要求の順序付けられたセットを含んでいる。このため、各ＵＥは、送信周波数帯域幅を要求する（そして、これに応答して、基地局は、好適周波数範囲内で時間／周波数リソースのスケジューリングを行う）。この好適な実施形態によれば、各ユーザ機器は単一のサブ帯域要求を提供せず、おそらく三つまたは四つのサブ帯域要求の順序付けられたセットを提供する。このため基地局は、ＵＥからのコンフリクトする要求を容認する、サブ帯域割り当てにおける多少の柔軟性を有することになる。順序付けられたセットは、ＵＥの優先順序で提供できる。順序は、LTEの実施形態においては、各サブ帯域において達成可能な潜在的データレートに関し、これはまた、以降に説明されるように、ユーザ機器優先権に対しても使用可能である。
【００２８】
好適な一実施形態においては、各サブ帯域要求は、サブ帯域毎のユーザ機器優先権を、例えば、順序付けられたセットにおける各サブ帯域要求に対する潜在的データレートの表示の形状で含んでいる。ユーザ機器優先権は、LTEシステムにおける変調符号化方式(MCS)レベルとして提供できる。このため、MCSまたは他の優先権インディケータは、システム全体における二つ以上のＵＥの何れが、割り当てコンフリクトを伴うサブ帯域を割り当てられるかを示すために使用できるだけでなく、上記のように、MCSを、最も高いMCSを有するサブ帯域が、ＵＥに対する最も好ましいオプションとして最初に考慮されるように、各ＵＥに対してサブ帯域要求を順序付けるためにも使用できる。
【００２９】
セル間の公平な割り当てをするための、または、まったく固定的にあるセルを優先するために、簡単なシステムをセル優先権に対して使用できる。好適な一実施形態においては、セル優先権順序は回転優先権である。これは、例えば、LTEシステムにおける各CQI周期で変更可能である。セル優先権順序は、サブ帯域が割り当てられる方法を判定できる。例えば、セル優先権順序は、サブ帯域が割り当てられる、または好ましくは、すべての基地局が、現在の基地局優先権順序を知っている状態で、同時に割り当てる順序（時間シーケンス）を判定できる。このため、サブ帯域を、第２基地局に優先して第１基地局（より高い優先権を有していれば）に割り当てることができる。それにも拘わらず、第１基地局によりサービスを提供されるＵＥは、セル内サブ帯域要求、または別のセル（第２基地局セルのような）によりサービスを提供されるＵＥからのオーバーヒアされたサブ帯域要求のユーザ機器優先権が、第１基地局によりサービスを提供されるＵＥのユーザ機器優先権よりも高い場合は、その最初の好適サブ帯域における割り当てを受けることができないこともある。
【００３０】
本発明の実施形態の完全な方法は、第１セルにおける基地局送信が、第２セルによりサービスを提供されるＵＥと干渉するコンフリクトがある場合にのみに実行してもよい。このため、初期またはデフォルトのサブ帯域割り当てがすでに行われてなくてはならず、受信される警報についてのそれらのサブ帯域割り当てにおいて送信が実行されてなければならない。デフォルトサブ帯域割り当てに対する調整は、有利なように、警報ばかりでなく、オーバーヒアされたアップリンク制御情報とセル内アップリンク制御情報も考慮する。つまり、自身のサブ帯域割り当てを調整するために、第１基地局は、サブ帯域割り当てを調整している一つ以上のＵＥのより低い優先サブ帯域に関する制御情報（格納された、再送された、または新しい）を要求する。
【００３１】
本発明の実施形態の方法は、任意の適切な状況において採用可能である。本発明の実施形態の方法は、干渉を引き起こす第１基地局送信が、ユーザ機器のアップリンク制御情報送信を、第２基地局がオーバーヒアすることができない場所におけるユーザ機器への送信である状況においては特に利点がある。
【００３２】
本発明の実施形態はまた、ここまでに定義したような第２基地局において実行される方法にも及ぶ。このため、本発明の更なる観点の実施形態においては、セルラー無線通信システムの複数のユーザ機器の間で、サブ帯域割り当てを共有するように構成され、第１セルを提供する第１基地局と、第２セルを提供する第２基地局を含む複数の基地局を有するセルラー無線通信システムにおいて使用される無線リソース割り当て方法が提供され、この方法において、第２基地局は、
第２セルによりサービスを提供される一つ以上のユーザ機器からセル内アップリンク制御情報を受信し、第１セルによりサービスを提供される一つ以上のユーザ機器から第１基地局に送信されるアップリンク制御情報をオーバーヒアし、セル内およびオーバーヒアされたアップリンク制御情報により、第２セルにおけるユーザ機器にサブ帯域割り当てを行い、
第２セルによりサービスを提供され、干渉しているサブ帯域割り当てを有している特定のユーザ機器からのアップリンク制御メッセージを受信し、そのアップリンク制御メッセージは、特定のユーザ機器へのダウンリンク送信の失敗した受信に関するものであり、
干渉しているユーザ機器サブ帯域割り当てについての警報を第１基地局（Ｆ１）に送り、第１基地局が、第１基地局（Ｆ１）セルにおけるサブ帯域割り当てを調整することを可能にするプロセスを実行する。
【００３３】
当業者は、すべての二次的特徴およびそれらの如何なる組合せも含む、第１基地局に対して定義されたようなプロセスは、サービスを提供しているＵＥへの送信周波数帯域幅割り当ての自身の調整により第２基地局によっても実行可能であることを認識されよう。これはまた、協働している基地局のクラスタにおける任意の他の基地局にも当てはまる。
【００３４】
本発明の実施形態は、セルラー無線通信システム全体における、または基地局のクラスタにおける方法にも及ぶ。更なる観点の実施形態によれば、セルラー無線通信システムの複数のユーザ機器の間で、サブ帯域割り当てを共有するように構成され、それぞれはまた、自身のセルを提供するように構成されている複数の基地局を有するセルラー無線通信システムにおいて使用される無線リソース割り当て方法が提供され、この方法において、システムは、
基地局が、自身のセルによりサービスを提供される一つ以上のユーザ機器からセル内アップリンク制御情報を受信し、一つ以上の他の基地局のセルによりサービスを提供される一つ以上のユーザ機器から送信されるアップリンク制御情報をオーバーヒアするプロセスと、
基地局が、自身のセルにおける一つ以上のユーザ機器にサブ帯域割り当てを行い、
セル内およびオーバーヒアされたアップリンク制御情報を考慮し、
一つの基地局が、他の基地局送信が干渉している特定のユーザ機器サブ帯域割り当てについての警報を送り、
他の基地局が、そのセル内アップリンク制御情報と、オーバーヒアされたアップリンク制御情報と、警報とを使用して、自身のセルにおけるサブ帯域割り当てを調整するプロセスを実行する。
【００３５】
第１および第２基地局は、基地局の共同動作するクラスタのメンバであってよい。好適な一実施形態においては、すべての基地局（または、クラスタにおけるすべての基地局）は、ＵＥ識別子を交換し（例えば、コアネットワークへのリンク上で）、そして各基地局は、自身のセルエッジＵＥへのサブ帯域要求、およびクラスタにおける他の基地局のセルエッジＵＥからのオーバーヒアされた要求に従って、デフォルトのサブ帯域割り当てを行う。サブ帯域は、セル優先権（回転優先権のような）およびＵＥ優先権（サブ帯域要求におけるMCSレベルのような）に基づいて割り当てることができる。基地局の何れかが、自身がサービスを提供しているＵＥの一つから、ダウンリンク受信の失敗、またはダウンリンク受信の不十分な品質のメッセージを受信すると、基地局は、干渉しているサブ帯域を他の基地局に通知できる。最も高い優先権の基地局から開始して、各基地局は、干渉しているサブ帯域をチェックし、その結果、NACKが続く場合、他のセルにおける干渉しているサブ帯域割り当てとコンフリクトする場合は、その割り当てを変更する。
【００３６】
本発明は、装置およびシステムの態様にも及ぶ。当業者は、前述した方法の特徴および二次的特徴が、任意の組み合わせにおいてこれらの装置およびシステムの態様の何れにも適用可能であることを認識するであろう。
【００３７】
第１基地局の観点の実施形態においては、セルラー無線通信システムの複数のユーザ機器の間でサブ帯域割り当てを共有するように構成され、複数の基地局を有し、複数の基地局のうちの第１基地局は第１セルを提供し、第２基地局は第２セルを提供するセルラー無線通信システムにおける第１基地局が提供され、第１基地局は、
第１セルによりサービスを提供される一つ以上のユーザ機器からセル内アップリンク制御情報を受信し、第２セルによりサービスを提供される一つ以上のユーザ機器から第２基地局に送信されるアップリンク制御情報をオーバーヒアするように構成されている受信器と、
セル内アップリンク制御情報およびオーバーヒアされたアップリンク制御情報を考慮して、サブ帯域割り当てを行うように構成されているコントローラと、
第１基地局送信が干渉している、第２セルにおける特定のユーザ機器サブ帯域割り当てに関する警報を、第２基地局から受信するように構成されているインタフェースを備え、
コントローラは、オーバーヒアされたアップリンク制御情報と、セル内アップリンク制御情報と、警報を使用して、第１基地局セルにおけるサブ帯域割り当てを調整するように構成されている。
【００３８】
第２基地局の観点の実施形態においては、セルラー無線通信システムの複数のユーザ機器の間でサブ帯域割り当てを共有するように構成され、複数の基地局を有し、その複数の基地局のうちの第１基地局は第１セルを提供し、第２基地局は第２セルを提供するセルラー無線通信システムにおける第２基地局が提供され、第２基地局は、
第２セルによりサービスを提供される一つ以上のユーザ機器からセル内アップリンク制御情報を受信し、第１セルによりサービスを提供される一つ以上のユーザ機器から第１基地局に送信されるアップリンク制御情報をオーバーヒアするように構成されている受信器と、
セル内およびオーバーヒアされたアップリンク制御情報に応じて、第２セルにおけるユーザ機器にサブ帯域割り当てを行うように構成されているコントローラを備え、
受信器は、第２セルによりサービスを提供され、干渉しているサブ帯域割り当てを有する特定のユーザ機器からのアップリンク制御情報を受信し、そのアップリンク制御情報は特定のユーザ機器へのダウンリンク送信の失敗した受信に関するものであるように構成され、
干渉しているユーザ機器サブ帯域割り当てに関する警報を第１基地局に送り、第１基地局が第１セルにおけるサブ帯域割り当てを調整することが可能にするように構成されているインタフェースを更に備えている。
【００３９】
システムの観点の実施形態においては、セルラー無線通信システムの複数のユーザ機器の間で、サブ帯域割り当てを共有するように構成され、それぞれがセルを提供するように構成されている複数の基地局を有するセルラー無線通信システムが提供され、
基地局は、自身のセルによりサービスを提供される一つ以上のユーザ機器からセル内アップリンク制御情報を受信し、一つ以上の他の基地局のセルによりサービスを提供される一つ以上のユーザ機器から送信されるアップリンク制御情報をオーバーヒアするように構成されている受信器を含み、
基地局は、セル内およびオーバーヒアされたアップリンク制御情報を考慮して、自身のセルにおける一つ以上のユーザ機器にサブ帯域割り当てを行うように構成されているコントローラを含み、
基地局は、他の基地局送信が干渉している、自身のセルにおける特定のユーザ機器サブ帯域割り当てに関する警報を送るように構成されているインタフェースを含み、
基地局コントローラは、セル内およびオーバーヒアされたアップリンク制御情報と警報とを使用して、自身のセルにおけるサブ帯域割り当てを調整するように構成されている。
【００４０】
本発明は、デジタル電子回路において、またはコンピュータハードウェア、ファームウェア、ソフトウェア、またはそれらの組み合わせにおいて実現可能である。本発明は、コンピュータプログラムとして、またはコンピュータプログラム製品として、つまり、情報キャリア、例えば、マシン読み取り可能記憶装置において実体的に具現化されるコンピュータプログラムとして、または、一つ以上のハードウェアモジュールによる実行のための、または、一つ以上のハードウェアモジュールの動作を制御するための伝搬信号において実現可能である。コンピュータプログラムはスタンドアローンプログラム、コンピュータプログラムの一部、または二つ以上のコンピュータプログラムの形式であることが可能であり、任意の形式で記述可能である。
【００４１】
本発明は、特定の実施形態の観点から記述される。他の実施形態は、下記の請求項の範囲内である。例えば、本発明のステップは、異なる順序で行うことが可能であり、それでも依然として望ましい結果を達成可能である。
【００４２】
好適な実施形態に係る装置が、ある機能を実行するために構成または配置されるように記述される。この構成または配置は、ハードウェアまたはミドルウェア、または任意の他の適切なシステムの使用により可能である。好適な実施形態においては、構成または配置はソフトウェアによる。
【００４３】
本発明の要素は「コントローラ」、「受信器」、「送信器」、および「インタフェース」という用語を使用して記述してきた。当業者は、これらの用語と、その等価物は、空間的には別個であるが、組み合わされて定義した機能のサービスを提供する基地局の部分を指すことができるということを認識されよう。同様に、基地局の同じ物理的部分は、定義された二つ以上の機能を提供できる。
【００４４】
例えば、コントローラの別個に定義された機能は、同じメモリ、および／または、プロセッサを適切なように使用して実現できる。インタフェースは、有線インタフェースであっても、またはＵＥ通信に使用される送信器／受信器上のインタフェースであってもよい。送信器と受信器は、別個に実現でき、またはトランシーバとして実現できる。
【図面の簡単な説明】
【００４５】
例としてのみの手段として、付随する図面を参照する。
【図１】LTEにおけるネットワークトポロジを示している前述した模式図である。
【図２】LTEにおける時間／周波数リソース分割を例示している前述した図である。
【図３】本発明の一般的な実施形態を表しているフローチャートである。
【図４】３基地局クラスタにおける隣接セルの図である。
【図５】本発明の詳細な実施形態のフローチャートである。
【図６】二つのアクティブセルエッジＵＥとの通信を含む二つの基地局間の信号通知図である。
【図７】３セルシナリオにおけるオーバーヒアリングを例示する模式図である。
【図８】３セルシナリオにおけるオーバーヒアされたアップリンク制御情報の例を示す図である。
【図９】基地局の模式図である。
【発明を実施するための形態】
【００４６】
図３は、本発明の一般的な実施形態のフローチャートを示しており、二つの共同動作する基地局（ＢＳ）に関連している。ステップＳ１０において、第１ＢＳは、第１セルにおける一つ以上のＵＥからセル内アップリンク制御情報を受信し、第２セルにおける一つ以上のＵＥからアップリンク制御情報をオーバーヒアする。そしてＢＳは、ステップＳ２０において、セル内アップリンク制御情報およびオーバーヒアされたアップリンク制御情報を考慮して、サブ帯域割り当てを行う。ステップＳ３０において、第１ＢＳが第２ＢＳから干渉警報を受信すると、ステップＳ４０において、ＢＳは、セル内情報、オーバーヒアされた情報、および警報を使用して、自身のサブ帯域割り当てを適合する。
【００４７】
幾つかの無線通信方法においては、上記の通信プロセスが発生する前に、基地局間のセルまたはＵＥ情報のような情報を交換することが必要となることもある。これはこの一般的な実施形態においてはこれ以上説明はせず、または図３において示さないが、必要であれば、例えば、LTEのような、使用される無線通信技術に従って、本方法の前、または本方法の間の何れかの時点において起こったと仮定することが可能である。
【００４８】
この一般的な実施形態をより詳細に見ると、第１ＢＳは、自身のセルにおけるＵＥの優先帯域を聞くことが可能であり、第２セルにおけるＵＥの一つ以上からアップリンク制御情報もオーバーヒアすることが可能である（ステップＳ１０）。何れの場合においても、ＵＥは、例えば、三つまたは四つの優先帯域を送ることができる。第１ＢＳが第２セルにおけるＵＥをオーバーヒアするためには、ＵＥは第１ＢＳのオーバーヒアゾーン内にいなければならず（第２セルにいるが、第１ＢＳの範囲内）、ＵＥはセルエッジにいる可能性がある。第１基地局は、送信帯域幅を割り当てるために自身のセルにおけるＵＥからのセル内アップリンク制御情報および第２セルにおけるＵＥからオーバーヒアされたアップリンク制御情報を使用可能である。例えば、特定の実施形態においては、第１基地局は、第１セルにおける他のＵＥの優先帯域および第２セルによりサービスを提供されるオーバーヒアされたＵＥの優先帯域に基づいて、第１セルにおけるＵＥにデフォルトサブ帯域割り当てを行う。ＵＥの優先帯域を使用することは、異なるセルにおけるＵＥ間の干渉、特には、セルエッジ干渉のリスクを削減する。しかし、依然として、第１セルにおけるＵＥの帯域割り当てが、第２セルにおけるＵＥへの干渉、またはその逆の干渉を引き起こす可能性がある。
【００４９】
同じまたは類似のリソース（サブ帯域内）が、第１セルにおけるＵＥと、第２セルにおけるＵＥに割り当てられた場合、もし第２セルにおけるＵＥが第１ＢＳのオーバーヒアゾーンにいると、第１ＢＳは、第２セルにおけるＵＥへの干渉を引き起こす。結果として、第２セルにおけるＵＥは、送信エラー制御のハイブリッド自動再送要求(Hybrid Automatic Repeat Request, HARQ)方法における否定的確認応答(Negative Acknowledgement, NACK)のような送信の失敗を示すアップリンクメッセージにおける増加を示す。これらの失敗のメッセージは第２ＢＳによりオーバーヒアされ、また第１ＢＳによってもオーバーヒアされる。
【００５０】
そして、第１ＢＳは、可能な再割り当てを自身で準備することが可能である。例えば、NACKにおける増加を検出すると、第２ＢＳは、干渉しているＵＥのリソース割り当て詳細を伴う警報を第１ＢＳに送る（ステップＳ２０）。警報は、例えばＳ１のような、任意のセル間通信方法で送ることが可能である。警報が第１ＢＳにより受信されると、第１ＢＳは、（聞かれた）セル内アップリンク制御情報およびネットワークにおける他のＵＥのオーバーヒアされたアップリンク制御情報と共に、警報に含まれるリソース割り当て情報を使用して、コンフリクトしているリソース割り当て及び干渉を緩和しようとして、第１セルにおける一つ以上のＵＥへのリソース割り当てを適合する（ステップＳ３０）。
【００５１】
第２セルにおけるＵＥは、ＵＥが第１ＢＳのオーバーヒアゾーン内に位置している場合は、第１ＢＳから干渉を受けるだけである。ちなみに、第２セルにおけるＵＥがリソースコンフリクトしている第１セルのＵＥが、第２ＢＳのオーバーヒアゾーン内に位置している可能性は少ない。第１セルによりサービスを提供されるＵＥを、第２ＢＳがオーバーヒアすることが可能である場合は、第２セルは、ＵＥの優先帯域をオーバーヒアした可能性があり、従って、リソース割り当てコンフリクトが起こった可能性は低い。
【００５２】
下記に記述される、更なる、より具体的な説明は、LTEの用語を使用するが、他の無線通信システムに同様に適用可能である。
【００５３】
幾つかの本発明の実施形態は、LTEにおいてＳ１（基地局間のＸ２リンクより低速なリンク）として知られている、基地局とコアネットワークとの間のインタフェース上でのセル間通信とオーバーヒアリングを利用して、ICICの代替としての干渉制御ソリューションを提供する。好適な実施形態においては、この方法は、セルのグループに関して全体的な視野を持ち、すべての関係するセルエッジユーザに対するＱｏＳを最適化する方法と見ることが可能である。
【００５４】
ある状況においては、割り当ては、デフォルトによるオーバーヒアリングに基づくが、回転セル優先権方式を使用して、リソース割り当てのコンフリクトを解決する。実施形態はまた、幾つかのセルエッジＵＥは、オーバーヒアされない幾つかのセルエッジＵＥを認識し、より低速なＳ１に基づく通信を使用してセル間で通信して、これらの可能性のある衝突を解決する。
【００５５】
他の状況においては、知られているICIC方法は、Ｘ２リンクが一部故障の場合、特には、より大きな地方のセルにおいては働かない可能性がある。これらの場合、ハイブリッドな方法が、予備オプションとして使用可能である。オーバーヒアリングとＳ１またはＸ２に基づく通信の利用は、セル間干渉を撲滅するための新しい方法を提供する。
【００５６】
全方位ｅＮＢアンテナにより送信するときは、セルエッジユーザの二つのグループ間に区別がある。セルエッジＵＥの一つのグループは、隣接ｅＮＢに十分に近く、ダウンリンクにおいてそれらから干渉を受け、隣接ｅＮＢは、アップリンクにおいてこれらのＵＥからPUCCHをオーバーヒアする。セルエッジＵＥの他のグループは、共通セルエッジから遠く離れており、そのため、隣接ｅＮＢはＵＬにおいてそれらのPUCCH送信をオーバーヒアすることはできない。しかし、ｅＮＢアンテナは全方位型であり、ビーム形成は考慮されないので、これらのＵＥに対するサブ帯域割り当ては、共通セルエッジにおける他のセルエッジＵＥ（隣接セルに接続されている）への干渉を引き起こすことがある。
【００５７】
図４は、フェムト基地局Ｆ１、Ｆ２、およびＦ３により提供されるフェムトセルとして例示されている三つの隣接（隣合う）セルを示している。これらのセルは拡散コードを共有しており、コードセット１はＦ１に割り当てられ、コードセット２はＦ２に割り当てられ、コードセット３はＦ３に割り当てられている。ＵＥ２はＦ１のセルエッジ上にあり、Ｆ２とＦ３により提供されるセルからは遠い側にある。ＵＥ１もまたセルエッジにおいてＦ１に接続されているが、Ｆ１、Ｆ２、およびＦ３の間にある。
【００５８】
より暗く陰影を付けたセルエッジは、隣接ｅＮＢ（一つまたは二つ以上）が、アップリンク制御情報（PUCCH上のCQI要求およびHARQメッセージ）をオーバーヒアすることが可能なエリアと考えられる。
【００５９】
例としてのＵＥ１はｅＮＢ  Ｆ１に接続され、Ｆ２およびＦ３は、このＵＥからアップリンク制御情報をオーバーヒアすることが可能である。しかし、ＵＥ２もまたｅＮＢ  Ｆ１に対するセルエッジＵＥであるが、Ｆ２およびＦ３は、ＵＥ２がＦ２とＦ３両者ついてのオーバーヒアリングエリアの外側にあるので、アップリンクにおいてＵＥ２から情報をオーバーヒアすることは可能ではない。ｅＮＢ送信は全方位型であるので、Ｆ１によるＵＥ２へのダウンリンク送信に対するリソース割り当ては、Ｆ２またはＦ３によるそれらのセルエッジＵＥへの類似の割り当てとコンフリクトして干渉を引き起こすことがある。この状況における一つの明確な要素は、Ｆ３またはＦ２のセルエッジＵＥは、Ｆ１から干渉を受けるには、暗い灰色領域（オーバーヒアゾーン）内にいなければならず、Ｆ１は、ＨＡＲＱについての受信の肯定的／否定的確認応答についてのACK/NACKと共に、これらのＵＥのサブ帯域要求をオーバーヒアすることが可能である。ダウンリンクおよびアップリンク信号に対して、（ほぼ）等しい移動距離を考慮すると、隣接ｅＮＢがＤＬにおいてＵＥに干渉を引き起こす場合は、ｅＮＢは、ＵＬにおけるこのＵＥのPUCCH送信をオーバーヒアすることが可能である。
【００６０】
この図は三つのｅＮＢしか示していないが、別のクラスタのより多くのｅＮＢを有することは、ＵＥ２に対して、オーバーヒアリングのソリューションにおける別の調整ｅＮＢグループへの可能性を与えるであろう。このため、ここで提示される基本的なソリューションは、他のそのようなグループに対して拡張可能である。しかし、ＤＬ送信からＵＥ２への干渉は、Ｆ２とＦ３のユーザに到達することがあり、一方、これらのｅＮＢは、ＵＥ２から送信される優先割り当てをオーバーヒアすることはできないという事実は残る。この事実は、本発明の実施形態においては考慮される。２×２ＭＩＭＯビーム形成（ＢＦ）ソリューションが実行される場合、ＤＬ送信は、例えば、円形セルの全体エリアの半分に制限される可能性が高く、この干渉は通常は回避可能である。しかし、静的ビーム形成ソリューションは、セルが隣接セルへの干渉を引き起こす事態を大きく削減可能であるが、不完全な配置のため、この問題は、特に、形成ビームのエッジにおいては残り続ける可能性がある。そのような場合は、セル間通信（警報）を有することは、リソースコンフリクトを解決する予備オプションとして、有益となり得る。
【００６１】
導入部において触れたように、協働するｅＮＢクラスタ内において、全体的なセルエッジデータレートを増大するという一般的な目的がある。この目的のため、類似のオーバーラップする帯域が二つ以上のセルエッジユーザにより要求された場合、その帯域は、より高い優先権（MCS）を報告するユーザに割り当てられる。類似の（または同じ）MCSが二つのＵＥから報告された場合は、回転ｅＮＢ優先権方式が採用されて、好適なユーザを見つける。例えば、この優先権は、すべてのCQI報告周期（おそらく１２８ミリ秒）においてルーチン的に変更可能であり、または任意の他の適切な基準、または時間周期を採用可能である。本発明の実施形態は、セル中心ユーザに対してはセル外干渉はないので、これらのユーザは考慮しないが、我々は、セルエッジおよびセル中心ユーザによる類似の帯域選択の場合は、セルエッジユーザの報告されたMCSが、セル中心ユーザのMCSよりも一般的に低くても、セルエッジユーザに優先権が与えられると仮定する。
【００６２】
ｅＮＢは、ＵＥによる報告されたサブ帯域のMCSレベルを見ることにより、ＵＥがセルエッジＵＥとして扱われるかどうかを判定可能である。報告されたサブ帯域がすべて（または大半）があるレベルより低い場合は、ＵＥはセルエッジとして分類することが可能である。物理的にｅＮＢにより近いＵＥでさえ、シャドーイング効果のようなことのため、より低いMCSを報告する可能性があり、このＵＥはセルエッジＵＥとして（正しく）扱われ、割り当て優先権が与えられる。
【００６３】
一般的な規則として、すべての要求された帯域を利用不可とするコンフリクト（自身のセルエッジユーザ間をオーバーヒアリングまたは聞くことを介して識別される）がない限り、要求された帯域は、セルエッジユーザに割り当てられる。そのような場合、サービングｅＮＢは、セルエッジＵＥに、好適サブ帯域の別のセットを報告するように要求する。
【００６４】
LTEの実現形態においては、ZC(Zadoff-Chu)拡散コードは、協働するｅＮＢの間で共有される。共有は動的に調整可能であり、ｅＮＢのローディングにおいて動的変化を反映する。図５のフローチャートにおいて、その変化は、CQI報告と同じレートであることが可能であると仮定するが、これは通常は、ｅＮＢにおいて構成されているように、かなり低速なレートである可能性が高い。追加的に、PUCCHデータは、ＵＥ特有のセル無線ネットワーク一時識別子(Cell Radio Network Temporary Identifier, C-RNTI)と共にスクランブルされる。この識別子は、所与のＵＥに対するアクティブセッションの間は一定である。サービングｅＮＢは、新しいＵＥがアクティブになると、この情報をＳ１上で隣接ｅＮＢ（調整クラスタにおける）と共有する。ＵＥの数は、室内フェムトセルおよび地方マクロセルの好適な目標の配置においては少ないので、ＵＥについての通信セッションの長さは、スケジューリング間隔よりもかなり長くなるが、この追加的な条件は、制限されたＳ１データレートを無理に増大したりはしない。
【００６５】
本発明の実施形態において注目すべき点の一つは、ｅＮＢが自身のセルエッジＵＥからのNACKの増大を検出した場合、ｅＮＢはＳ１上で隣接ｅＮＢに警告し（使用されているサブ帯域の詳細と共に）、まず、隣接ｅＮＢにより取られる行動を待つということである。これは、アルゴリズムに従って、セルエッジリソース衝突のほとんどのケースは、隣接ｅＮＢ（例えば、図４におけるＦ２）が遠くのセルエッジＵＥをオーバーヒアすることができないときに起こるからである。例えば、隣接するＦ２とＦ３は、図４におけるＵＥ２をオーバーヒアすることができない。そして、問題のｅＮＢ（例えば、Ｆ２）は、自身のセルエッジＵＥが同じサブ帯域を要求している場合は、自身のセルエッジＵＥにＵＥ２サブ帯域を割り当てることができる。しかし、Ｆ２によりサービスを提供されるこのＵＥの優先割り当ては、元々のサービングｅＮＢ（図４におけるＵＥ２に送信するＦ１）によりオーバーヒアすることが可能である。このシナリオにおいては、ＵＥ２は、Ｆ２によりサービスを提供されるこのＵＥに対して優先権を有している（例えば、より高いMCS）と仮定され、それにより、Ｆ１は、コンフリクトする要求をオーバーヒアしたにも拘わらずサブ帯域を割り当てる。元々のｅＮＢ（Ｆ１）送信が、このＵＥへのＦ２送信と干渉する場合は、正確な割り当てが、Ｓ１上でＦ２により通知される。そして、元々のサービングｅＮＢ（Ｆ１）が自身のセルエッジＵＥ（ＵＥ２）へのサブ帯域割り当てを変えることは正当であり、それにより、隣接セルＦ２におけるＵＥへの干渉は削減される。
【００６６】
この特定の割り当ては、セルエッジＵＥ２のデータレートを削減するが（ＵＥ２が、元々の割り当てが起こるための、Ｆ２またはＦ３のコンフリクトするセルエッジＵＥよりも高いMCSを有していた可能性があるので）、これは衝突を制御し、干渉しているＵＥのデータレートおよびＱｏＥを改善するための簡単且つ有効な手段である。Ｓ１上での通知の必要性は、サブフレーム（１ミリ秒）レートよりも相当に頻度が低い。この通知は、サービングｅＮＢが、特定のセルエッジＵＥについて増大するNACKを検出したときのみに起こる。このため、本発明の実施形態は、いったんコンフリクトが起きたときにコンフリクトを解決するために行われるだけである。
【００６７】
コンフリクトの場合、割り当てられたサブ帯域通知は、Ｓ１上ですべての隣接ｅＮＢに通信される。そして、ｅＮＢは、現在のｅＮＢ優先権リストに従って反応する。最も優先権の高いｅＮＢは、割り当てが自身のセルエッジ内かどうかを確認し、そして、それが存在する場合は、割り当てを変更する。これは、エラーレートを改善し、NACKを削減する。このｅＮＢがセルエッジにおいて同じサブ帯域を共有していない場合は、次の優先権を有するｅＮＢがNACKが継続することを目撃し、その割り当てを確認する、とういう具合である。
【００６８】
この非明示的なｅＮＢ優先権リストを有することは、Ｓ１リンク上での通信を削減することを支援し、関連する隣接ｅＮＢからの衝突問題に対する直接の応答を可能にする。ｅＮＢ優先権を使用することはまた、二つ以上のｅＮＢが警報および増大するNACKに応答して、更なるコンフリクトを引き起こす可能性の高い、自身の帯域を変更することを防止する。最も高い割り当て優先権を有するｅＮＢが、必要であれば、サブ帯域を最初に変更することに着手するということは正当なことである。
【００６９】
図５は、本発明のLTEの実施形態のフローチャートである。ステップＳ１００において、ｅＮＢ優先権ステータスがｅＮＢ間で通信される。この優先権ステータスは、CQI周期の間は一定に留まる。Zadoff-Chu拡散コードの共有が実現される。
【００７０】
ステップＳ１１０において、ｅＮＢは、各ｅＮＢセルにおける任意の新しくアクティブになったＵＥに対するセル無線ネットワーク一時識別子(C-RNTI)を交換する。
【００７１】
ステップＳ１２０において、各ｅＮＢにおいてオーバーヒアされた情報が収集される（デスクランブルされ復号される）。これにより、各ｅＮＢが、自身のセルエッジＵＥから、及び、セル外のオーバーヒアされたCQI要求からのサブ帯域要求とをステップＳ１３０において解析し、続くステップＳ１４０においてサブ帯域を割り当てることが可能となる。割り当ては、如何なるコンフリクトをも緩和するために、二つ以上のＵＥの間の、より高いセルエッジMCSと、現在のｅＮＢ優先権に基づく。各ｅＮＢは、例えば、図８に示されているようなｅＮＢ、サブ帯域、およびMCSのような、自身が情報を有しているＵＥの記録を保管する。
【００７２】
ステップＳ１５０において、各ｅＮＢは、アップリンク制御チャネルPUCCHをオーバーヒアすることを継続し、特に、隣接セルの基地局に送られるACKおよびNACKの形状のＨＡＲＱ情報を聞く。ステップＳ１６０において、基地局が、隣接セルから増大するNACKをオーバーヒアし、隣接セルのＵＥに関する干渉しているサブ帯域通知を受信した場合は、基地局は、ステップＳ１７０において、自身のセルエッジＵＥにおける類似のサブ帯域割り当てまたは類似の複数のサブ帯域割り当てを変更する。いったん類似のサブ帯域割り当てが変更されると（これが正しい場合）、または実際に、干渉しているサブ帯域割り当ての通知が受信されない場合は、基地局は、ステップＳ１８０において次のCQI報告周期まで、HARQ情報をオーバーヒアすることを継続する。基地局はまた、如何なる新しいC-RNTI情報をもコアネットワークへのＳ１上で記録する。
【００７３】
図６の例に示されている実施形態をここで検討する。この例においては、各セルにおける一つのＵＥとしてのＵＥ１とＵＥ５を有する二つの基地局、ＦｅＮＢ１とＦｅＮＢ２が示されている。ＵＥ１は第１ＢＳ、つまりＦｅＮＢ１によりサービスを提供され、ＵＥ５は第２ＢＳ、つまりＦｅＮＢ２によりサービスを提供される。図は、本実施形態における各ＢＳとそのセルにおけるＵＥとの間の直接通信、各ＢＳと、他のセルのＵＥとの間の情報のオーバーヒアリング、および、二つのＢＳ間の通信を例示している。この簡単な例は、実施形態において、いつ、および何れの手段により通信が起こるかを示すために役立つということに留意すべきである。他のＵＥも関係するが、示されてはいない。
【００７４】
図の最初における初期通信は、自身が位置しているセルにサービスを提供するＢＳと接続することを要求する各ＵＥ、つまり、ＦｅＮＢ１への接続を要求するＵＥ１と、ＦｅＮＢ２への接続を要求するＵＥ５を示している。そして各ＢＳは接続要求を容認し、自身のセルにおけるＵＥにC-RNTI暗号化識別子を割り当てる。Ｓ１通信リンク上で、二つのＢＳは、自身のセルにおけるＵＥに対するC-RNTI識別子を交換し、それにより各ＢＳは、隣接セルについてのＵＥ情報を解読可能である。そして例においては、処理は最初のCQIセッションの開始に移動し、ここにおいて各ＢＳは、自身のセルにおけるＵＥからセル内アップリンク制御情報を受信し、他のセルにおけるＵＥからアップリンク制御情報をオーバーヒアする。この情報は各ＢＳにより解析されて、自身のセルにおけるＵＥにリソースを割り当てるために使用される。
【００７５】
ＢＳのセルにおけるＵＥの既知のリソース要求と、隣接セルにおけるＵＥのオーバーヒアされたリソース要求は、ほとんどの場合、何れのＵＥにも干渉がないように、効率的にリソースを割り当てるために十分な情報をＢＳに提供する。しかし、この例のようなある状況においては、オーバーヒアリングだけではリソースの効果的な割り当てを提供することはできず、ＢＳは、一つ以上のＵＥに対してコンフリクトまたは干渉を引き起こすサブ帯域を含むリソースを割り当ててしまう。例えば、示されている配置においては、ＦｅＮＢ２は、ＵＥ１のアップリンク送信を聞くことができないので、コンフリクトするリソースが割り当てられることがある。
【００７６】
図６から、これが起きたときは、ＵＥの一つが干渉の結果としてのNACKの増加を提示することが分かる。この例においては、その位置のため、ＵＥ５は、ＦｅＮＢ１（隣接セル）から強い干渉を受け、ＦｅＮＢ２に、ＤＬデータパケットに対してNACKを返す。このNACKの増加は、ＦｅＮＢ１によってもオーバーヒアされ、ＦｅＮＢ１は問題があることをＢＳに示し、自身のセルにおけるＵＥ、この場合はＵＥ１にリソースを再割り当てする必要性が最も高いことを示す。ＵＥ５が増加した数のNACKを返す結果として、ＦｅＮＢ２（サービングセル）は、Ｓ１通信リンク上でＦｅＮＢ１に、干渉しているＵＥ５のサブ帯域割り当てを第１ＢＳに通知するために警報を送る。そして、ＦｅＮＢ１は、その割り当てを確認して、コンフリクトしているＵＥ、つまりＵＥ１にリソースを再割り当てすることが可能であり、それにより、ＵＥ５とのコンフリクトはなくなる。再割り当てが起こると、両者のＢＳは、自身のセルにおけるＵＥとの通信を継続する。
【００７７】
両者のｅＮＢはその後、次のスケジューリングされたセッションまで、ＤＬデータ送信に対するACK（PUCCH上）を監視する。考えられるCQI周期（約128ミリ秒）は、1ミリ秒のＤＬ送信間隔（サブフレームに基づく）よりも相当に長い。割り当ては、干渉状態がＳ１上でｅＮＢにより報告されない限り変わることはない。Ｓ１上の通信は、リソース割り当ておよびACK/NACK送信（LTEにおいては１ミリ秒の精度のレート）よりもかなり低速のレートで起こる。
【００７８】
図７と８における例で示される実施形態をここで説明する。この例は、三つの基地局（ＦｅＮＢ  Ｆ１〜ＦｅＮＢ  Ｆ３）の三つのセルによりサービスを提供される合計１２のユーザ機器（ＵＥ１〜ＵＥ１２）を示している。図８は、各ＵＥの優先帯域、各優先帯域の優先権、各ＵＥが位置しているセル、および隣接セルの何れのＵＥを各ＢＳがオーバーヒアすることが可能であるかを示している。図７は、セルとＵＥの配置を図で示したもので、図８に示されている情報となることが可能である。
【００７９】
この例において、ＵＥ１〜ＵＥ４はＦ１によりサービスを提供され、ＵＥ５〜ＵＥ８はＦ２によりサービスを提供され、ＵＥ９〜ＵＥ１２は、Ｆ３によりサービスを提供されるのが分かる。Ｆ１は、第２セルからＵＥ５とＵＥ７をオーバーヒアすることが可能であり、第３セルからＵＥ９とＵＥ１０をオーバーヒアすることが可能である。Ｆ２は、第１セルからＵＥ１とＵＥ４をオーバーヒアすることが可能であり、第３セルからＵＥ９とＵＥ１１をオーバーヒアすることが可能である。Ｆ３は、第１セルからＵＥ１とＵＥ３をオーバーヒアすることが可能であり、第２セルからＵＥ５とＵＥ６をオーバーヒアすることが可能である。このように、すべてのＢＳがすべてのＵＥをオーバーヒアすることが可能というわけではない。各ＵＥの隣に列挙されている文字と数字の三つの組み合わせは、帯域に対するＵＥの優先権と、そのＵＥの優先帯域を、最も高い優先権／優先帯域から開始して、優先帯域の順序付けられたセットにおいて示している。例えば、ＵＥ１はサブ帯域Ｂを、その第１選択として３の優先権で有しており、優先権２のサブ帯域Ｓを優先権２第２選択とし、優先権２のサブ帯域Ｄを第３選択として有している。
【００８０】
下記の表１は、オーバーヒアリングの後の、この例における各ＵＥの帯域割り当てを表示しており、割り当てがどのように判定され、割り当てが、何れかの他のＵＥとのコンフリクトを引き起こすかどうかを表示している。Ｆ１から開始して、リソースの割り当てを下記に検討する。
【表１】
2017508377.tif 000003
【００８１】
ＵＥ１には、その第１優先のサブ帯域Ｂが割り当てられている。Ｆ１によりサービスを提供され且つオーバーヒアされるＵＥの中で、サブ帯域Ｂを要求している一つの他のＵＥ、つまりＵＥ５がある。しかし、ＵＥ１はＵＥ５よりも高い優先権（Ｂ３とＢ２それぞれ）を有しているので、そのサブ帯域が割り当てられる。Ｆ１によりサービスを提供されるすべての他のＵＥもまた、ＵＥ１に対して記述したプロセスと同じプロセスに従って、それらの第１優先のサブ帯域が割り当てられている。
【００８２】
ここで、Ｆ２によりサービスを提供されるＵＥを見てみると、ＵＥ５にはその第２優先のサブ帯域であるサブ帯域Ｃが割り当てられている。ＵＥ５とＵＥ１は、ＢＳ（Ｆ２）によりそれぞれ聞かれ、およびオーバーヒアされ、両者ともサブ帯域Ｂを要求している。しかし、前記で検討したように、ＵＥ１はより高い優先権を有しており、従って、サブ帯域Ｂが割り当てられる。従って、ＵＥ５は、その第２選択であるサブ帯域Ｃに移動しなくてはならない。Ｆ２によりサービスを提供される他のＵＥがない、またはサブ帯域Ｃに対するより高い優先権要求を有する他のＵＥがＦ２のオーバーヒアゾーンにないので、サブ帯域ＣはＵＥ５に割り当てられる。しかし、表に示されているように、サブ帯域Ｃは、第１セルにおけるＵＥ２にも割り当てられている。ＵＥ２のサブ帯域要求は、ＵＥ２がＦ２のオーバーヒアゾーンにいないため、Ｆ２には知られていない。これが、サブ帯域Ｃの二重割り当てが起きた理由である。次に考慮することは、サブ帯域Ｃの、ＵＥ２とＵＥ５の両者への割り当てが、コンフリクトおよび干渉を引き起こすか否かということである。ＵＥ５がＦ１から干渉を受けるには、ＵＥ５はＦ１のオーバーヒアゾーンにいなければならない。上記の表から、および図７と８から分かるように、ＵＥ５はＦ１のオーバーヒアゾーンにいるので、サブ帯域Ｃの二重割り当ては、干渉を引き起こす。実施形態によれば、干渉の結果、Ｆ２は、ＵＥ５からのNACKの増加を聞くことになり、それはまた、Ｆ１とＦ３によってもオーバーヒアされる。従って、Ｆ２は、隣接ＦｅＮＢに干渉への警報を発行し、隣接ＦｅＮＢに、ＵＥ５に割り当てられたサブ帯域を通知する。そして、Ｆ１は、ＵＥ２とＵＥ５との間の割り当てコンフリクトに気づき、より詳細に後述するように、適宜にリソースを再割り当てすることが可能である。
【００８３】
Ｆ２によりサービスを提供される他のＵＥの中で、ＵＥ６とＵＥ８には、それらの第１選択サブ帯域が割り当てられている。これは、セルにおけるすべてのＵＥと、Ｆ２によりオーバーヒアされるＵＥのこれらのサブ帯域の中で最も高い優先順序を有しているからである。ＵＥ７は、最初の二つの優先サブ帯域がより高い優先権を有するＵＥ、つまりＵＥ４（より優先権の高いサービングＢＳを有している）とＵＥ６（より高いＵＥ／帯域優先権を有している）に割り当てられているので、その第３選択の優先サブ帯域が割り当てられている。
【００８４】
最終的に、Ｆ３によりサービスを提供される第３セルにおけるＵＥには、すべて、それらの第１選択サブ帯域割り当てが行われている。ここでも再び、これは、各ＵＥが、セルにおけるすべてのＵＥ、およびＦ３によりオーバーヒアされるＵＥの中で、それぞれの特定の第１選択サブ帯域の最も高い優先権を有しているからである（または、それぞれが唯一の要求ＵＥだからである）。
【００８５】
他のセルにおけるサブ帯域の割り当てを見てみると、ＵＥ１２とＵＥ４の両者にはサブ帯域Ｄが割り当てられているので、ＵＥ１２とＵＥ４へ割り当てられたリソース間には潜在的なコンフリクトがあることが分かる。実施形態によれば、サブ帯域Ｄの二重割り当ては、その特定のＵＥが、同じサブ帯域が割り当てられた他方のＵＥにサービスを提供するＦｅＮＢのオーバーヒアゾーンに位置している場合は、ＵＥの一つに対して結局は干渉を引き起こす。つまり、サブ帯域Ｄの二重割り当ては、ＵＥ１２がＦ１のオーバーヒアゾーンに位置している場合、またはＵＥ４がＦ３のオーバーヒアゾーンに位置している場合は結局はコンフリクトを引き起こす。図７と８から分かるように、何れのＵＥも、他方のＵＥにサービスを提供するＢＳのオーバーヒアゾーンに位置していないので、コンフリクトも干渉もない。結果として、それぞれのＵＥからのNACKの増加はなく、警報が一つのＢＳから隣接ＢＳに送られることも必要でない。
【００８６】
Ｆ１におけるＵＥ２と、Ｆ２におけるＵＥ５との間の割り当てコンフリクトが残っている。このコンフリクトを解決するために、Ｆ１は、ＵＥ２に対する他の割り当てオプション、つまりサブ帯域ＫおよびＮを見る。Ｆ１は、帯域Ｋが、ＵＥ７において第３優先として使用される可能性が高いことをオーバーヒアしている。Ｆ２はＦ１よりも優先権が低いので、帯域Ｄ（ＵＥ７の第１優先）はすでにＦ１により使用されている。さらに、帯域Ａ（ＵＥ７の第２優先）もまた、どこかに割り当てられている可能性がある。したがって、Ｆ１は、その帯域はＵＥ７に割り当てられていると仮定するので、ＵＥ２の割り当てをＫ（ＵＥ２の第２選択）には変更しないことを決定する。したがって、Ｆ１は、ＵＥ２の割り当てを、ＵＥ２の優先リストにおいては最後のＮに変更する。帯域Ｎは、ＵＥ１０のリストにおいて列挙されているが、Ｆ１が見る限りは、ＵＥ１０に対するより高い優先サブ帯域（ＪまたはＬ）の何れもがコンフリクトしていないように見える。この場合、サブ帯域Ｎの割り当てによりコンフリクトが解決される。Ｆ１が適切な割り当て帯域を見つけることができない場合は、Ｆ１は、ＵＥ２に、次のCQI周期に、さらなる好適帯域を提供することを要求可能である。
【００８７】
図９は、本発明の実施形態の方法を実行する機能を有する基地局を示している。基地局は、受信器／送信器、コントローラ、およびインタフェースを備えている。受信器／送信器は、トランシーバのような、エアインタフェース上でデータの送受信を行う機能を有する如何なる装置であってもよく、または二つの別個の装置を含んでもよい。受信器／送信器は、セルにおけるユーザ機器へのアップリンクおよびダウンリンク通信のようなエアインタフェース上で信号を送るために、および隣接セルにおけるユーザ機器をオーバーヒアするために使用される。
【００８８】
コントローラは、プロセッサのような、データを解析可能且つリソースを適宜割り当て可能な如何なる装置であってもよい。コントローラは、セル内アップリンク制御情報およびオーバーヒアされたアップリンク制御情報を使用して、サブ帯域割り当てを行うことに対して責任がある。コントローラはまた、隣接セルからの如何なる警報をも解析して、何れかのサブ帯域割り当てが何らかの干渉を引き起こしていないかどうかを判定し、必要であればサブ帯域割り当てを調整することに対しても責任がある。
【００８９】
インタフェースは、隣接基地局とコアネットワークとの通信リンクに対してである。図においては、インタフェースはハードウェアインタフェースとして示されており、Ｓ１またはＸ２のような何れのセル間通信リンクに接続可能である。インタフェースはまた、受信器／送信器によりエアインタフェースとしても提供可能であり、またはそのような通信を可能にする何れの他のインタフェースによっても提供可能である。インタフェースは、セル間通信、つまり、隣接セルへの通信に対して責任がある。この通信は、とりわけ、警報およびユーザ機器識別子暗号化情報の受信および送信を含むことができる。
（まとめ）
【００９０】
本発明の実施形態の提案は、新規の方法で、オーバーヒアリングの特徴と、セル間通信の特徴の両者を使用して、隣接セル間のリソース割り当てを調整する。隣接セルは、他のセルのセルエッジユーザによる要求されたリソース割り当てを（アップリンクにおいて）オーバーヒアすることが可能であり、干渉を回避するために、自身のセルエッジ割り当てを適合可能である。隣接セルにより送信がオーバーヒアされない少数のセルエッジＵＥに対しては、リソースの衝突および干渉が起こることがある。ソリューションは、これらの衝突を、既存のリンク上でのｅＮＢ間の最小限の通信で解決する方法を提供する。本発明の実施形態は、LTEに基づくネットワークに対して記述されているが、本方法は、セル間に分割した時間／周波数リソースを提供する如何なる他の無線通信システムにも適用可能である。本方法はまた、より大きなマクロセルからフェムトセルネットワークまでの如何なる種類の両立するセルにも適用可能である。
【００９１】
本発明の実施形態の一つの主要な恩恵は、セルエッジ干渉を、基地局（セル）間の既存のリンクの使用により削減可能であるということである。LTEにおいては、Ｓ１およびＸ２（論理）リンクは、セル間通信に対して定義されている。Ｘ２リンクは、相当に高速であることが必要であり、そのため、特に、フェムトセルのような、低コストのプラグアンドプレイの配置においては、実現するためにはコストがより高い。LTEの仕様においては、Ｘ２リンクは、知られているセル間干渉調整(Inter-Cell Interference Co-ordination:ICIC)技術を行うことが要求される。本発明の実施形態は、高速Ｘ２リンクを有する必要性を緩和できるが、オーバーヒアリングおよびより低速のＳ１リンクを使用することにより、ICICに近い性能を達成可能である。これは、フェムトセルネットワークの製品および配置コストを削減可能であり、一方、依然としてセルエッジ性能を改良する。本発明の実施形態は、例えば、高速Ｘ２リンクの提供が困難な地方のマクロセルのような、他のセルに適用可能である。
【図１】
2017508377.tif 000004
【図２】
2017508377.tif 000005
【図３】
2017508377.tif 000006
【図４】
2017508377.tif 000007
【図５】
2017508377.tif 000008
【図６】
2017508377.tif 000009
【図７】
2017508377.tif 000010
【図８】
2017508377.tif 000011
【図９】
2017508377.tif 000012
【国際調査報告】
2017508377.tif 000013
2017508377.tif 000014